(57)【特許請求の範囲】
【請求項１】
シールド掘進機を２基平行に並べた形状の親機と、
親機から発進する子機とによって構成し、
親機の前面のカッターは、その一部を円弧状に切り欠いた三日月カッターを使用し、
子機は両親機の中間の内部に配置しておき、
両側の親機の三日月カッターの切り欠き部を合致させて円形の貫通部を形成した後に、
この切り欠き部を合致させた貫通部から、子機を発進するように構成した、
分離型シールド掘進機
【請求項２】
シールド掘進機を２基平行に並べた形状の親機と、
親機から発進する子機とによって構成し、
親機の前面のカッターはスポークの一部を切り欠いて構成し、
子機は両親機の中間の内部に配置しておき、
両側の親機のカッターの切り欠き部を合致させて円形の貫通部を形成した後に、  この切り欠き部を合致させた貫通部から、子機を発進するように構成した、
分離型シールド掘進機
【請求項３】
シールド掘進機を２基平行に並べた形状の親機と、
親機から発進する子機とによって構成し、
親機の前面のカッターには、その一部を円弧状に切り欠き可能なスライド部を設けて構成し、
子機は両親機の中間の内部に配置しておき、
両側の親機のカッターの一部をスライドして円弧状切り欠きを形成し、
その切り欠き部を合致させて円形の貫通部を形成した後に、
この切り欠き部を合致させた貫通部から、子機を発進するように構成した、
分離型シールド掘進機
【請求項４】
子機のカッターは、
子機の外径と同一外径の回転円盤上に、
自転する２基の自転カッターを取り付け、
この自転カッターはコピーカッター機構を設けて構成した、
請求項１、２記載の分離型シールド掘進機
【発明の詳細な説明】
【０００１】
【発明の属する技術分野】
本発明は、分離型シールド掘進機に関するものである。
【０００２】
【従来の技術】
シールド掘進機を２基平行に並べた『めがね型』のシールドトンネルによって駅部などの拡大部を形成する工法が開発されている。
その場合に一般に駅部以外の路線部では、駅部ほどの幅を必要としないから、単円のシールドトンネルで充分である。
そのためには、地中において複円シールドトンネルから単円シールドトンネルに切り替える必要がある。
そのために例えばシールド掘進機の両側に三日月型のシールド掘進機を取り付け、複線部の掘進が終了したら地中で両側の三日月型シールド掘進機を捨てて中央のシールド掘進機のみで掘進するような方法が開発されている。
【０００３】
【本発明が解決しようとする課題】
そのようなシールド掘進機では３基のシールド掘進機の円盤カッターが並ぶことになるが、図５に示すように両側のカッター軸ａを接近させると中央のカッター軸ｂにぶつかることになる。したがって実際にはこうした構造のシールド掘進機は制作することはできない。
【０００４】
本発明は上記したような従来の問題を解決するためになされたもので、カッター軸を接近して配置することが可能で、広い範囲の条件に適応することができる、分離型シールド掘進機を提供することを目的とする。
【０００５】
【課題を解決するための手段】
上記のような目的を達成するために、本発明の分離型シールド掘進機は、シールド掘進機を２基平行に並べた形状の親機と、親機から発進する子機とによって構成し、親機の前面のカッターは、その一部を円弧状に切り欠いた三日月カッターを使用し、子機は両親機の中間の内部に配置しておき、両側の親機の三日月カッターの切り欠き部を合致させて円形の貫通部を形成した後に、この切り欠き部を合致させた貫通部から、子機を発進するように構成した、分離型シールド掘進機を特徴としたものである。
【０００６】
あるいは本発明の分離型シールド掘進機は、シールド掘進機を２基平行に並べた形状の親機と、親機から発進する子機とによって構成し、親機の前面のカッターはスポークの一部を切り欠いて構成し、子機は両親機の中間の内部に配置しておき、両側の親機のカッターの切り欠き部を合致させて円形の貫通部を形成した後に、この切り欠き部を合致させた貫通部から、子機を発進するように構成した、分離型シールド掘進機を特徴としたものである。
【０００７】
あるいは本発明の分離型シールド掘進機は、シールド掘進機を２基平行に並べた形状の親機と、親機から発進する子機とによって構成し、親機の前面のカッターには、その一部を円弧状に切り欠き可能なスライド部を設けて構成し、子機は両親機の中間の内部に配置しておき、両側の親機のカッターの一部をスライドして円弧状切り欠きを形成し、その切り欠き部を合致させて円形の貫通部を形成した後に、この切り欠き部を合致させた貫通部から、子機を発進するように構成した、分離型シールド掘進機を特徴としたものである。
【０００８】
【本発明の実施の態様】
以下図面を参照しながら本発明の分離型シールド掘進機の実施例について説明する。
【０００９】
＜イ＞全体の構成。
本発意の分離型シールド掘進機は、平行に並べた２基のシールド掘進機からなる親機１と、親機１の内部に収納されて所定の位置から発進できる子機２とによって構成する。平行に並べた２基の親機１はその間の屋根部分と床部分を、曲線連結板１１で接続してある。その曲線連結板１１によって連結部の剛性を高めることができる。
この連結板１１によって包囲される円筒内部に、子機２を収納してある。
親機１、子機２ともに円筒状の外殻の前部にはカッターを設置し、内部に設けた推進ジャッキによってセグメントに反力を取って前進する。
【００１０】
＜ロ＞親機１のカッター
通常のシールド掘進機であれば、その前面には機体の直径と同一の直径の円盤カッター１２を取り付けてある。
あるいは機体の半径と等しい長さのスポークを、中心から均等な配置で放射状に配置してある。
これらの円盤カッター１２あるいはスポークカッターによってトンネルの全断面を一度に掘削して前進する構成である。
しかし本発明のシールド掘進機の親機１では、円盤カッター１２の場合、その前面のカッターは一部を円弧状の切り欠き部１３を形成した三日月状カッターを使用する。
あるいはスポークカッターの場合には放射状に張り出したスポークの一部を切り欠いて構成する。
あるいは、円盤カッター１２の一部に円弧の切り欠き部１３を設け、この切り欠き部にはスライド可能な蓋を配置して通常は円盤として形成する。そして、必要に応じてこの蓋をスライドさせて切り欠き部１３を解放し得るように構成することもできる。
【００１１】
＜ハ＞子機２の配置。
前記したように親機１は２基のシールド掘進機を平行に並べた構造であるが、その両親機１の中間の連結板１１によって包囲された円筒状の内部に、子機２を配置しておく。
この子機２の外径は、両側の親機１のカッターの切り欠き部１３を合致させて形成した円形の貫通部の直径とほぼ等しく形成してある。
子機２の前面には子機２の外径と同一外径の回転円盤２１を設ける。
この回転円盤２１の前面には自転する２基の自転カッター２２を取り付けてあり、したがって自転カッター２２は、公転する回転円盤２１の上で自転しつつ掘削を行うことになる。
この子機２の自転カッター２２によって、両親機１の間の連結板１１によって包囲された空間を掘削するが、連結板１１の円弧と自転カッター２２の直径が一致しないから、この自転カッター２２はコピーカッター機構を設けて自転カッター２２の掘削範囲外はコピーカッターによって掘削する。
【００１２】
＜ニ＞親機１の掘進。
複線部分あるいは駅部では、シールド掘進機を２基平行に並べた形状の親機１によって掘進を進める。
親機１の接合部の土砂は、子機２の自転カッター２２、およびそのコピーカッターによって掘削する。
掘進後には掘進機の内部でセグメントを組み立て、そのセグメントに反力を取って前進する機構は従来と同様である。
【００１３】
＜ホ＞子機２の発進。
所定の位置に到達したら、親機１から子機２を発進する。
そのために、両側の親機１のカッターの切り欠き部１３を合致させる。すると円形の貫通部を形成することができる。
この合致した貫通部の内径は子機２の外径にほぼ等しいから、子機２の後方にセグメントや反力体を設置して推進ジャッキを伸張すれば、貫通部から子機２を発進することができる。
こうして複線トンネルから単線トンネルへの変更を行うことができる。
【００１４】
【本発明の効果】
本発明の分離型シールド掘進機は以上説明したようになるから、中央に設置した子機２のカッター軸は、親機１のカッターの裏側に設置することができる。
したがって従来の装置では不可能だった、両親機１のカッター軸を最も接近して配置するという構造を採用することが可能となった。
そのために各種の現地での要求に応じて、広い範囲の条件に適応することができる。
【図面の簡単な説明】
【図１】本発明の分離型シールド掘進機の分離前の状態の説明図。
【図２】分離前の状態の断面の説明図。
【図３】子機を分離した状態の説明図。
【図４】分離した状態の断面の説明図。
【図５】従来の構造の問題点の説明図。
【図１】
0003824390.tif 000002
【図２】
0003824390.tif 000003
【図３】
0003824390.tif 000004
【図４】
0003824390.tif 000005
【図５】
0003824390.tif 000006